(57)【要約】【課題】フェンスが棚板から簡単に外れるのを防止する。【解決手段】棚板２の前端部上面に、複数の取付孔を設け、左右方向を向くワイヤフェンス３より下向き突設した、同一斜め側方を向く複数の挿入片７を、対応する取付孔に上方より嵌合することにより、ワイヤフェンス３を、棚板２の前端部上面に起立させて取付ける。【選択図】  図６
2009131434.tif 000002
【特許請求の範囲】
【請求項１】
棚板の前端部上面に左右複数の取付孔を設け、左右方向を向くフェンスより下向きに突設した、同一斜め側方を向く複数の挿入片を、対応する前記取付孔に、斜め上方より嵌合することにより、フェンスを、棚板の前端部上面に起立させて取付けたことを特徴とする棚板へのフェンスの取付構造。
【請求項２】
棚板における取付孔の下方に、挿入片の少なくとも下端部が嵌合される側面視上向きコ字状の保持溝を設けてなる請求項１記載の棚板へのフェンスの取付構造。
【請求項３】
金属板よりなる棚板の前縁を下向きに折曲することにより、前面板を形成するとともに、この前面板の下部を後方及び上方に折曲することにより、後向水平片とその後端より起立する上向片をそれぞれ形成し、前記前面板と後向水平と上向片とにより囲まれる空間を、保持溝としてなる請求項２記載の棚板へのフェンスの取付構造。
【請求項４】
複数のフェンスを、その全ての挿入片を同一方向に向けて棚板に取付けてなる請求項１〜３のいずれかに記載の棚板へのフェンスの取付構造。
【請求項５】
複数のフェンスを、互いに隣接するフェンスにおける挿入片を左右反対向きとして、かつ互いに隣接するフェンスの対向端同士が当接または近接するようにして、棚板に取付けてなる請求項１〜３のいずれかに記載の棚板へのフェンスの取付構造。
【発明の詳細な説明】
【技術分野】
【０００１】
本発明は、商品陳列棚の棚板の前端部上面に取付けられる、商品の滑落を防止するためのフェンスの取付構造に関する。
【背景技術】
【０００２】
従来のフェンスの取付構造としては、例えば特許文献１に記載されているものがある。
【特許文献１】特開２００５−３２８９５９号公報
【発明の開示】
【発明が解決しようとする課題】
【０００３】
上記特許文献に記載されているものにおいては、正面視門型をなすワイヤフェンスの両側端の下向挿入片を、棚板の前端部上面に設けた取付孔に、上方より挿入しただけであるので、客が棚板上の商品を取り上げる際などに、ワイヤフェンスも引き上げられて、棚板の取付孔より外れたり、落下したりする恐れがある。
これを防止するためには、ワイヤフェンスの下向挿入片を、ねじ等により棚板に固定することも考えられるが、このようにすると、ワイヤフェンスの着脱作業に手間がかかる。
【０００４】
本発明は、上記問題点に鑑みてなされたもので、棚板から簡単に外れるのを防止しうるとともに、着脱作業も容易に行いうるようにした、棚板へのフェンス取付構造を提供することを目的としている。
【課題を解決するための手段】
【０００５】
本発明によると、上記課題は、次のようにして解決される。
（１）棚板の前端部上面に左右複数の取付孔を設け、左右方向を向くフェンスより下向きに突設した、同一斜め側方を向く複数の挿入片を、対応する前記取付孔に、斜め上方より嵌合することにより、フェンスを、棚板の前端部上面に起立させて取付ける。
【０００６】
（２）上記(１)項において、棚板における取付孔の下方に、挿入片の少なくとも下端部が嵌合される側面視上向きコ字状の保持溝を設ける。
【０００７】
（３）上記(２)項において、金属板よりなる棚板の前縁を下向きに折曲することにより、前面板を形成するとともに、この前面板の下部を後方及び上方に折曲することにより、後向水平片とその後端より起立する上向片をそれぞれ形成し、前記前面板と後向水平と上向片とにより囲まれる空間を、保持溝とする。
【０００８】
（４）上記(１)〜(３)項のいずれかにおいて、複数のフェンスを、その全ての挿入片を同一方向に向けて棚板に取付ける。
【０００９】
（５）上記(１)〜(３)項のいずれかにおいて、複数のフェンスを、互いに隣接するフェンスにおける挿入片を左右反対向きとして、かつ互いに隣接するフェンスの対向端同士が当接または近接するようにして、棚板に取付ける。
【発明の効果】
【００１０】
請求項１記載の発明によれば、棚板の複数の取付孔に、フェンスの下端に下向き突設した、同一斜め側方を向く挿入片を嵌合したことにより、フェンスに上向きの力が加わっても、これが棚板から簡単に外れる恐れはない。
また、ねじ等の固定手段を用いることなく、単にフェンスの挿入片を、棚板の取付孔に斜め上方より嵌合するだけで取付けうるので、フェンスの着脱作業も容易となる。
【００１１】
請求項２記載の発明によれば、挿入片の下端部が、側面視上向きコ字状の保持溝に嵌合されているので、フェンスが前後方向にぐらつくのが防止される。
【００１２】
請求項３記載の発明によれば、金属板よりなる棚板の前端部を、プレス等により折曲するだけで、棚板の前端部の下方に、挿入片の保持溝を簡単に形成することができる。
【００１３】
請求項４記載の発明によれば、棚板を商品陳列棚に取付けたまま、棚板に、複数のフェンスを、互いに干渉させることなく、左右いずれか一方の斜め上方より容易に取付けることができる。
【００１４】
請求項５記載の発明によれば、複数のフェンスを、互いに隣接するフェンスにおける挿入片を左右反対向きとして、かつ互いに隣接するフェンスの対向端同士が当接または近接するようにして、棚板に取付けたことにより、左右に隣接するフェンスのいずれか一方または両方を、取付孔より引き抜こうとすると、必ず、左右に隣接するフェンスの対向端同士が当接するので、左右のフェンスが棚板から外れるのが確実に防止される。
【発明を実施するための最良の形態】
【００１５】
以下、本発明の実施形態を、図面に基づいて説明する。
図１は、本発明の一実施形態を適用した商品陳列棚の斜視図で、左右複数の支柱１の前面には、上下左右に並ぶ複数の棚板２が、左右１対ずつのブラケット(図示略)をもって支持され、各棚板２の前端部上面には、左右方向を向くワイヤフェンス３が取付けられている。
【００１６】
右側の棚板２に取付けられた各ワイヤフェンス３は、図２の正面図、及び図３の拡大側面図に示すように、棚板２の左右寸法とほぼ等しい左右寸法の枠状ワイヤ４と、その左右の縦ワイヤ４a、４aにおける上下方向の中央部の対向面に両端が溶接された中間横ワイヤ５と、枠状ワイヤ４の上下の横ワイヤ４b、４bと中間横ワイヤ５同士を互いに連結するようにして、それらの左右両側部と中央部の後面に溶接された、正面視下向Ｕ字状の３個の中間ワイヤ６とからなっている。
【００１７】
各中間ワイヤ６の遊端である一方(右方)の下端には、下部の横ワイヤ４bとのなす角度が例えば５０°程度となるように、右側方、すなわち右下方に向かって延出する挿入片７が連設されている。なお、左側の棚板２に取付けられたワイヤフェンス３は、挿入片７が、各中間ワイヤ６の左方の下端に、左側方、すなわち左下方に向かって延出するように連設されている以外は、右側のワイヤフェンス３と同一構造、すなわち左右対称としてある(図４参照)。
【００１８】
各棚板２は、左右方向に長い長方形の鋼板の周端部を下向きに折曲したものよりなり、図５に示すように、下向折曲された前面板８の下端には、後向水平片９と、その後端より起立する上向片１０とが連設されている。
【００１９】
前面板８と、後向水平片９と、上向片１０との間には、ワイヤフェンス３の各挿入片７の下端部を保持可能な、その外径よりも若干大きな幅の側面視上向きコ字状をなす保持溝１１が、左右方向に連続して形成されている。棚板２の上面から後向水平片９の上面までの寸法は、挿入片７の垂直寸法よりも若干大とされている。
棚板２の前端部上面には、各ワイヤフェンス３の３個の挿入片７が挿通可能な、その外径よりも若干大径の楕円形をなす３個の取付孔１２が穿設されている。
【００２０】
左右の棚板２にワイヤフェンス３を取付けるには、各棚板２を商品陳列棚に取付ける前において、図４の２点鎖線で示すように、右側の棚板２に取付けるワイヤフェンス３は、左上方に、左側の棚板２に取付けるワイヤフェンス３は、右上方に、それぞれ位置させた状態で、両ワイヤフェンス３を、矢印のように、斜め右下方と左下方にそれぞれ下降させながら、各中間ワイヤ６における挿入片７を、棚板２の各取付孔１２に挿入すればよい。
【００２１】
これによりワイヤフェンス３は、図５に示すように、挿入片７の下端部が保持溝１１内に遊嵌されて保持されるとともに、下部の横ワイヤ４bの下端が棚板２の上面に当接した状態で、棚板２の前端部上面に取付けられる。
【００２２】
取付後においては、挿入片７を左右方向に折曲してあるので、ワイヤフェンス３に上向きの力が加わっても、取付孔１２から簡単に抜け外れる恐れはない。  また、挿入片７の下端部が保持溝１１に嵌合されているので、ワイヤフェンス３が前後方向にぐらつくのも防止される。
【００２３】
なお、図６に示すように、ワイヤフェンス３を取付けた左右の棚板２を、商品陳列棚に取付けた際、左右のワイヤフェンス３、３の対向端同士が互いに近接するように、すなわち左右のワイヤフェンス３、３の対向端間に形成される隙間Ｈが、挿入片７の左右方向の折曲寸法Ｌよりも小となるようにするのがよい。
【００２４】
このようにすると、左右のワイヤフェンス３、３の挿入片７を、左右反対向きに折曲しているので、左右いずれか一方または両方のワイヤフェンス３を、取付孔１２より引き抜こうとすると、必ず、左右のワイヤフェンス３の対向端同士が当接することとなり、両ワイヤフェンス３が棚板２から外れるのが確実に防止される。なお、上記隙間Ｈをなくして、左右のワイヤフェンス３、３の対向端同士を当接させるようにしてもよい。
また、左右のワイヤフェンス３は、それらの挿入片７の下端部を保持溝１１に嵌合する前であれば、前後方向に揺動させうるので、隙間Ｈを適宜に設定すれば、棚板２を商品陳列棚に取付けたままでも、左右のワイヤフェンス３を棚板２に取り付けることも可能である。
【００２５】
上記実施形態においては、左右の棚板２に取り付けられるワイヤフェンス３、３の挿入片７を、左右反対向きとしているが、図７に示すように、左右のワイヤフェンス３、３の挿入片７を、同方向に向けてもよい。
このようにすると、棚板２を商品陳列棚に取付けたまま、左右のワイヤフェンス３、３を、斜め左上方より、互いに干渉させることなく取付けることができる。
【００２６】
上記実施形態では、左右の棚板２のそれぞれに、１個のワイヤフェンス３を取付けているが、棚板２が左右方向に長いときには、１個の棚板２に対し、複数のワイヤフェンス３を取り付けることもある。この際には、上記と同様、左右に隣接するワイヤフェンス３の挿入片７を、左右反対向き、もしくは全て同方向を向くようにすればよい。
【００２７】
また、上記実施形態では、下向Ｕ字状の複数の中間ワイヤ６を、枠状ワイヤ４及び中間横ワイヤ５の後面に固着し、その下端に、左右方向に折曲した挿入片７を連設しているが、中間ワイヤ６を省略し、枠状ワイヤ４の下端に、複数の挿入片７を、溶接等により直接固着してもよい。
【００２８】
また、棚板２は、所定厚さの木製または合成樹脂製等のものでもよく、この際には、取付孔１２を、挿入片７と同方向を向くように、傾斜させて穿設すればよく、また、上述したような、挿入片７の下端部を保持する保持溝１１は省略することができる。
本発明は、上記ワイヤフェンス３の取付けに限定されるものではなく、例えば板状のフェンスにも適用することができる。
【図面の簡単な説明】
【００２９】
【図１】本発明の一実施形態を適用した商品陳列棚の斜視図である。
【図２】ワイヤフェンスの正面図である。
【図３】同じく、拡大側面図である。
【図４】左右の棚板へのワイヤフェンスの取付要領を示す正面図である。
【図５】図４のIV-IV線拡大縦断側面図である。
【図６】ワイヤフェンス取付後の左右の棚板を商品陳列棚に取付けた状態の正面図である。
【図７】左右のワイヤフェンスの挿入片を同方向に向けて、左右の棚板に取付けた状態の正面図である。
【符号の説明】
【００３０】
１    支柱
２    棚板
３    ワイヤフェンス(フェンス)
４    枠状ワイヤ
４a   縦ワイヤ
４b   横ワイヤ
５    中間横ワイヤ
６    中間ワイヤ
７    挿入片
８    前面板
９    後向水平片
１０  上向片
１１  保持溝
１２  取付孔
Ｈ    隙間
Ｌ    折曲寸法
【図１】
2009131434.tif 000003
【図２】
2009131434.tif 000004
【図３】
2009131434.tif 000005
【図４】
2009131434.tif 000006
【図５】
2009131434.tif 000007
【図６】
2009131434.tif 000008
【図７】
2009131434.tif 000009